【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
文を受信するサーバ通信部と、
前記文に含まれる文章を複数の小文章に章立てし、前記小文章を複数の項目に項目分けし、前記項目をツリー構造の一覧としてユーザの端末装置に表示することで目次を作成するサーバ処理部とを備える
評釈作成装置。
【請求項２】
前記サーバ処理部は、前記小文章のそれぞれがいずれの項目に項目分けされたかの項目識別情報を付与し、前記小文章および前記項目を記憶することを特徴とする請求項１に記載の評釈作成装置。
【請求項３】
前記項目分けは、前記小文章ごとに、出現単語を用いて行う、特定の文字列を抽出して行う、文の長さや文の数によって行うことの一つ以上により行われることを特徴とする請求項２に記載の評釈作成装置。
【請求項４】
前記項目は、主文、理由、事実の概要、争点、争点に対する判断および結論を含むことを特徴とする請求項１〜３のいずれか１項に記載の評釈作成装置。
【請求項５】
前記争点は、第１争点と第２争点とに分割して項目分けされることを特徴とする請求項４に記載の評釈作成装置。
【請求項６】
前記ユーザの端末装置の端末表示部に前記小文章の目次と、前記小文章とが並べて表示されることを特徴とする請求項１〜５に記載の評釈作成装置。
【請求項７】
文を受信するサーバ通信ステップと、
前記文に含まれる文章を複数の小文章に章立てし、前記小文章を複数の項目に項目分けし、前記項目をツリー構造の一覧としてユーザの端末装置に表示することで目次を作成するサーバ処理ステップとを備える
評釈作成方法。
【請求項８】
コンピュータに、
文を受信するサーバ通信機能と、
前記文に含まれる文章を複数の小文章に章立てし、前記小文章を複数の項目に項目分けし、前記項目をツリー構造の一覧としてユーザの端末装置に表示することで目次を作成するサーバ処理機能と
を実現させることを特徴とする評釈作成プログラム。
【手続補正２】
【補正対象書類名】明細書
【補正対象項目名】００４９
【補正方法】変更
【補正の内容】
【００４９】
【図１】判決文管理システムによる処理の一例を説明するための模式図である。
【図２】判決文管理システムの概略構成の一例を示す図である。
【図３】サーバの概略構成の一例を示す図である。
【図４Ａ】判決文データベースのデータ構造の一例を示す図である。
【図４Ｂ】評釈データベースのデータ構造の一例を示す図である。
【図４Ｃ】訴状データベースのデータ構造の一例を示す図である。
【図５】判決文データベースを作成するフローチャートを示す図である。
【図６】判決文データベースにおける項目分けを示す図である。
【図７】評釈データベースを作成するフローチャートを示す図である。
【図８】訴状データベースを作成するフローチャートを示す図である。
【図９】端末装置の概略構成の一例を示す図である。
【図１０】端末装置の端末表示部によって表示される文検索画面の一例を示す図である。
【図１１】実施例１にかかる判決文管理システムによる判決文を検索するフローチャートを示す図である。
【図１２】端末装置の端末表示部によって表示される文検索画面の一例を示す他の図である。
【図１３】実施例２にかかる判決文管理システムによる判決文を検索するフローチャートを示す図である。
【図１４】実施例３にかかる文作成画面の一例を示す図である。
【図１５】実施例３にかかる画面遷移後の文作成画面の一例を示す図である。
【図１６】実施例３にかかる判決文管理システムによって訴状を作成するフローチャートを示す図である。
【図１７】実施例３にかかる判決文管理システムによって訴状を作成する他のフローチャートを示す図である。
【図１８】実施例１の変形例４にかかる端末装置の端末表示部によって表示される表示画面の一例を示す図である。
【手続補正３】
【補正対象書類名】明細書
【補正対象項目名】００７３
【補正方法】変更
【補正の内容】
【００７３】
図５は、サーバ処理部３１６によって行われる判決文データベース３１１を作成するフローチャートを示す図である。
【手続補正４】
【補正対象書類名】明細書
【補正対象項目名】００８３
【補正方法】変更
【補正の内容】
【００８３】
図７は、サーバ処理部３１６によって行われる評釈データベース３１２を作成するフローチャートを示す図である。
【手続補正５】
【補正対象書類名】明細書
【補正対象項目名】００９３
【補正方法】変更
【補正の内容】
【００９３】
図８は、サーバ処理部３１６によって行われる訴状データベース３１３を作成するフローチャートを示す図である。
【手続補正６】
【補正対象書類名】明細書
【補正対象項目名】０１１７
【補正方法】変更
【補正の内容】
【０１１７】
（判決文の小文章に類似する小文章の検索）
図１１は、実施例１にかかる判決文管理システム１による判決文の検索に係るフローチャートを示す図である。
【手続補正７】
【補正対象書類名】明細書
【補正対象項目名】０１１８
【補正方法】変更
【補正の内容】
【０１１８】
以下に説明するフローチャートは、予めサーバ記憶部３１５に記憶されているプログラムに基づいて、主にサーバ処理部３１６により、サーバ３の各要素と協働して実行される。また、以下に説明するフローチャートは、予め端末装置４の端末記憶部４１２に記憶されているプログラムに基づいて、主に端末装置４の端末処理部４１５により、端末装置４の各要素と協働して実行される。また、以下に説明するフローチャートにおいて、サーバ３は、サーバ通信部３１４を介して端末装置４と各種の情報を送受信する。
【手続補正８】
【補正対象書類名】明細書
【補正対象項目名】０１３４
【補正方法】変更
【補正の内容】
【０１３４】
（判決文に対応する他の文の小文章検索）
図１３は、実施例２にかかる判決文管理システム１による判決文の検索に係るフローチャートを示す図である。
【手続補正９】
【補正対象書類名】明細書
【補正対象項目名】０１３５
【補正方法】変更
【補正の内容】
【０１３５】
以下に説明するフローチャートは、予めサーバ記憶部３１５に記憶されているプログラムに基づいて、主にサーバ処理部３１６により、サーバ３の各要素と協働して実行される。また、以下に説明するフローチャートは、予め端末装置４の端末記憶部４１２に記憶されているプログラムに基づいて、主に端末装置４の端末処理部４１５により、端末装置４の各要素と協働して実行される。また、以下に説明するフローチャートにおいて、サーバ３は、サーバ通信部３１４を介して端末装置４と各種の情報を送受信する。
【手続補正１０】
【補正対象書類名】明細書
【補正対象項目名】０１５７
【補正方法】変更
【補正の内容】
【０１５７】
（判決文から訴状を作成）
図１６は、実施例３にかかる判決文管理システム１による訴状の作成に係るフローチャートを示す図である。
【手続補正１１】
【補正対象書類名】明細書
【補正対象項目名】０１５８
【補正方法】変更
【補正の内容】
【０１５８】
以下に説明するフローチャートは、予めサーバ記憶部３１５に記憶されているプログラムに基づいて、主にサーバ処理部３１６により、サーバ３の各要素と協働して実行される。また、以下に説明するフローチャートは、予め端末装置４の端末記憶部４１４に記憶されているプログラムに基づいて、主に端末装置４の端末処理部４１５により、端末装置４の各要素と協働して実行される。また、以下に説明するフローチャートにおいて、サーバ３は、サーバ通信部３１４を介して端末装置４と各種の情報を送受信する。
【手続補正１２】
【補正対象書類名】明細書
【補正対象項目名】０１６５
【補正方法】変更
【補正の内容】
【０１６５】
続いて、サーバ処理部３１６は、訴状を作成する（Ｓ１６０７）。訴状の作成フローを図１７を参照して説明する。以下に説明するフローチャートは、予めサーバ記憶部３１５に記憶されているプログラムに基づいて、主にサーバ処理部３１６により、サーバ３の各要素と協働して実行される。
【手続補正１３】
【補正対象書類名】図面
【補正対象項目名】図８
【補正方法】変更
【補正の内容】
【図８】
2019197530.tif 000001
【手続補正１４】
【補正対象書類名】図面
【補正対象項目名】図１１
【補正方法】変更
【補正の内容】
【図１１】
2019197530.tif 000002